(57)【要約】      （修正有）【課題】高価な専用の測定機器を使うことなく、尿試験紙による検出結果を、簡便に、かつ、忘れることなく記録することができる尿試験キットを提供する。【解決手段】尿試験キットは、尿中に含まれている検出すべき成分量によって色調が変化する尿試験紙と、検出すべき成分量に応じた体の健康状態に対応する色調表が印刷された色調シートとを備え、前記色調シートに、色調表に基づく検出結果を記録する記録部を設けたことを特徴とする。【選択図】図１
0003148819.tif 000002
【実用新案登録請求の範囲】
【請求項１】
尿中に含まれている検出すべき成分量によって色調が変化する尿試験紙と、
検出すべき成分量に応じた体の健康状態に対応する色調表が印刷された色調シートと
を備え、
前記色調シートに、色調表に基づく検出結果を記録する記録部を設けた
ことを特徴とする尿試験キット。
【請求項２】
前記尿試験紙を収容するケースを備えている
ことを特徴とする尿試験キット。
【請求項３】
前記色調シートが、前記ケースと一体である
ことを特徴とする請求項２に記載の尿試験キット。
【請求項４】
前記検出すべき成分量が、尿糖、尿タンパク及び／又は尿潜血である
ことを特徴とする請求項１〜３の何れか一項に記載の尿試験キット。
【請求項５】
前記検出すべき成分量が、関節痛原因物質、肝臓障害指標物質又は疲労物質である
ことを特徴とする請求項１〜３の何れか一項に記載の尿試験キット。
【考案の詳細な説明】
【技術分野】
【０００１】
本考案は、家庭で個人が利用可能な安価な尿試験キットの改良に関する。
【背景技術】
【０００２】
近年、国民医療費総額は増加の一途をたどっており、国家財政を圧迫している。その対策として、国民一人ひとりが、自ら自分の健康状態を把握し、病気の発生を未然に防ぐような習慣の浸透が望まれている。
また近年、過食や運動不足による肥満に起因する生活習慣病が増加している。この生活習慣病には、糖尿病、高血圧、脂質異常症、関節痛等があり、これらの疾患は、放置すると、進行して、生命の維持に関わる重篤な疾患に至ることもあるため、早期発見が望まれる。
しかし、生活習慣病の多くは自覚症状がないまま進行し、自覚症状が出た時には相当病状が悪化していることが多い。
自覚症状の乏しいこれらの疾患を早期に発見し、病気の発生を未然に防ぐためには、定期的に、できれば毎日、健康管理器具等を用いて自らの体調を調べることが望ましい。
【考案の開示】
【考案が解決しようとする課題】
【０００３】
定期的に自らの健康状態を調べる方法としては、尿中に含まれている様々な成分の量を検出し、その成分量により健康状態を判断する方法が手軽で有効である。
健康状態を判断する指標となる尿中成分としては、例えば、尿糖、尿タンパク、尿潜血、関節痛原因物質、疲労物質及び肝臓障害指標物質等が挙げられる。
尿糖の量は糖尿病の指標となり、尿タンパクの量は腎臓や尿路系の疾患の指標となり、尿潜血の量は腎臓や膀胱等の泌尿器系疾患の指標となる。
また、関節痛原因物質、疲労物質、肝臓障害指標物質も体調を知る重要な指標になりうる。
このような尿中の成分量の検出は、尿試験紙を用いて行うことができる。一部の尿試験紙は、一般薬局等で購入可能であることから、病院や検査センター等の医療関連機関内のみならず、一般家庭でも気軽に使用することができる。
上記したように尿中成分の量は、様々な健康状態の指標となるが、特に、尿糖、尿タンパク、尿潜血等の検出結果は日々の生活状態によっても変動するものであるため、本来はその経時的変化についても自ら把握しておくべきである。
しかしながら、従来は尿試験紙による検出結果を簡便に記録する記録ツールがなかった。
このため、折角、尿試験紙を用いて試験をしていても、検出結果の経時的変化を把握することができないため、日々の検出結果が、単に生活状態の変化に起因した一時的な変動なのか、何らかの疾患や健康状態の悪化による変動なのかを的確に判断することができず、結果として病院に行くタイミングを遅らせる可能性があるという問題がある。
本考案は、上記した従来の問題点に着目し、高価な専用の測定機器を使うことなく、尿試験紙による検出結果を、簡便に、かつ、忘れることなく記録することができる尿試験キットを提供することを目的としている。
【課題を解決するための手段】
【０００４】
上記した目的を達成するために、本考案に係る尿試験キットは、尿中に含まれている検出すべき成分量によって色調が変化する尿試験紙と、検出すべき成分量に応じた体の健康状態に対応する色調表が印刷された色調シートとを備え、前記色調シートに、色調表に基づく検出結果を記録する記録部を設けたことを特徴とする。
前記尿試験キットは、尿試験紙を収容するケースを有することができる。この場合、前記記録部を備えた色調シートはケースと一体であってもよく、また、ケースと別体に形成され、尿試験紙と共にケースの中に収容されていてもよい。
尿試験紙により検出すべき尿中の成分量としては、例えば、尿糖、尿タンパク及び／又は尿潜血、若しくは、関節痛原因物質、肝臓障害指標物質又は疲労物質等が挙げられる。
この明細書では、便宜上、「試験紙」という用語を用いるが、この「試験紙」は、必ずしも全体が紙で構成されている必要はなく、一部の材質が紙製でなくとも、たとえばプラスチックであっても差支えない。
【考案の効果】
【０００５】
尿試験紙を用いる場合、検出すべき成分の量に応じた尿試験紙の色の変化を確認するために必ず色調表が印刷された色調シートが用いられる。本考案に係る尿試験キットは、尿試験紙を用いる時に必ず使用する色調表が印刷された色調シートに色調表に基づく検出結果を記録する記録部を設けているので、気軽に、かつ、忘れることなく検査結果を記録し続けることが可能になるという効果を奏する。また、別のノート等に検査結果を記録していると、検査結果を記録したノートを持ち歩いて紛失してしまったり、尿試験紙とは別の場所に収容して収容した場所が分からなくなったりする等の問題が生じる可能性があるが、色調シートは尿試験紙を用いる場合に必ず使用する表なので、通常であれば尿試験紙と同じ場所に収容しておかれるため、記録した検査結果を紛失してしまう可能性は極めて低くなる。
また、尿試験キットが、尿試験紙を収容するケースを備え、前記色調シートがケースと一体に形成されていれば、色調表を単独で保管する必要がなくなるので、検査結果を記録した記録部を備えた色調表を紛失する可能性はさらに低くなる。
尿試験紙で尿糖、尿タンパク及び／又は尿潜血を検出するようにし、その検出結果を色調表に設けられた記録部に経時的に記録することにより糖尿病、腎臓や尿路系の疾患及び／又は腎臓や膀胱等の泌尿器系疾患など、体の異変や体調の変化を早期発見することが可能になる。
【考案を実施するための最良の形態】
【０００６】
以下、添付図面に示した一実施例を参照しながら、本考案に係る尿試験キットの実施の形態を説明していく。
図１は、本考案に係る尿試験キットを構成する尿試験紙及び色調シートの概略図を示している。
図面に示すように、この尿検査キットは、三種類の尿試験紙１，２，３と色調シート４とを備えている。
尿試験紙１は尿中のぶどう糖量を検出する尿試験紙であり、尿試験紙２は尿中のタンパク質量を検出する尿試験紙であり、尿試験紙３は尿中の潜血量を検出する尿試験紙である。
色調シート４には、これら三種類の尿試験紙１，２，３に対応する色調表４ａ，４ｂ，４ｃが印刷されており、各色調表４ａ，４ｂ，４ｃの下に検出結果を記録する記録部５ａ，５ｂ，５ｃが設けられている。
各記録部部５ａ，５ｂ，５ｃは縦軸が検出結果（成分量）を表しており、横軸が日を表している。
使用者は、尿試験紙１，２，３に尿をかけた後に、色調シート４の色調表４ａ，４ｂ，４ｃを使って尿試験紙１，２，３の色の変化を確認する。この時、各記録部部５ａ，５ｂ，５ｃが各色調表４ａ，４ｂ，４ｃの下に設けられているので、使用者は色調表４ａ，４ｂ，４ｃを使って検出結果を確認しながら、各記録部部５ａ，５ｂ，５ｃに検出結果を記録することができるので、気軽に、かつ、忘れることなく、検査結果を経時的に記録していくことが可能になる。
【０００７】
図２は、尿試験紙１，２，３を収容する袋６の表面に、色調シート４が一体に設けられている実施例を示している。
このように色調シート４を袋６のような尿試験紙のケースに一体に設けることにより、色調シートを紛失する恐れが無くなる。
【０００８】
上記した実施例では、ぶどう糖、タンパク質及び潜血を調べるための三種類の尿試験紙を備えた尿試験キットを例に挙げて説明をしているが、尿試験紙の種類及び尿試験紙によって検出すべき成分の種類は本実施例に限定されるものではない。
また、上記した実施例では、ぶどう糖、タンパク質及び潜血をそれぞれ別々の尿試験紙で検出するように構成した例を挙げているが、尿試験紙の構成は本実施例に限定されることなく、一本の尿試験紙に複数の試薬部を設けて一本の尿試験紙で複数の成分を検出できるように構成してもよい。
【図面の簡単な説明】
【０００９】
【図１】本考案に係る尿試験キットの一実施例の概略図である。
【図２】本考案に係る尿試験キットの別の実施例の概略図である。
【符号の説明】
【００１０】
１  尿試験紙（ぶどう糖）
２  尿試験紙（タンパク質）
３  尿試験紙（潜血）
４  色調シート
４ａ  色調表（ぶどう糖）
４ｂ  色調表（タンパク質）
４ｃ  色調表（潜血）
５ａ  記録部（ぶどう糖）
５ｂ  記録部（タンパク質）
５ｃ  記録部（潜血）
６  袋
【図１】
0003148819.tif 000003
【図２】
0003148819.tif 000004
【手続補正書】
【提出日】平成20年12月15日(2008.12.15)
【手続補正１】
【補正対象書類名】実用新案登録請求の範囲
【補正対象項目名】全文
【補正方法】変更
【補正の内容】
【実用新案登録請求の範囲】
【請求項１】
尿中に含まれている検出すべき成分量によって色調が変化する尿試験紙と、
検出すべき成分量に応じた体の健康状態に対応する色調表が印刷された色調シートと
を備え、
前記色調シートに、色調表に基づく検出結果を記録する記録部を設けた
ことを特徴とする尿試験キット。
【請求項２】
前記尿試験紙を収容するケースを備えている
ことを特徴とする請求項１に記載の尿試験キット。
【請求項３】
前記色調シートが、前記ケースと一体である
ことを特徴とする請求項２に記載の尿試験キット。
【請求項４】
前記検出すべき成分量が、尿糖、尿タンパク及び／又は尿潜血である
ことを特徴とする請求項１〜３の何れか一項に記載の尿試験キット。
【請求項５】
前記検出すべき成分量が、関節痛原因物質、肝臓障害指標物質又は疲労物質である
ことを特徴とする請求項１〜３の何れか一項に記載の尿試験キット。